(57)【要約】【課題】手に馴染み易く、かつ、拭き取り易い使い捨て吸水シートを提供する。【解決手段】不織布からなり吸水性を有する第１シート１１と、不織布からなり吸水性を有する第２シート１２と、第１シート１１と第２シート１２との間において所定間隔で線状に並列配置され、伸縮性を有する複数本の線状の伸縮部材１３と、を有し、第１シート１１と第２シート１２とは、伸縮部材１３を介して当該伸縮部材１３の伸縮性を損なうことなく接合されており、第１シート１１及び第２シート１２には伸縮部材１３の収縮力によるギャザーＧが形成されていることを特徴とする。【選択図】図２
0003220575.tif 000002
【実用新案登録請求の範囲】
【請求項１】
不織布でなり、吸水性を有する第１シートと、
不織布でなり、吸水性を有する第２シートと、
前記第１シートと前記第２シートとの間において所定間隔で線状に並列配置され、伸縮性を有する複数本の線状の伸縮部材と、
を有し、
前記第１シートと前記第２シートとは、前記伸縮部材を介して当該伸縮部材の伸縮性を損なうことなく積層された状態で接合されており、前記第１シート及び前記第２シートには前記伸縮部材の収縮力によるギャザーが形成されていることを特徴とする使い捨て吸水シート。
【請求項２】
請求項１に記載の使い捨て吸水シートにおいて、
前記第１シート及び前記第２シートは、矩形状をなしていることを特徴とする使い捨て吸水シート。
【請求項３】
請求項２に記載の使い捨てタオルにおいて、
前記矩形状は長方形であって、横方向の辺がそれぞれ１５０ｍｍ〜４５０ｍｍの範囲であり、縦方向の辺が１００ｍｍ〜３００ｍｍの範囲であることを特徴とする使い捨てタオル。
【請求項４】
請求項１〜３のいずれかに記載の使い捨て吸水シートにおいて、
前記不織布は、合成繊維の外周面に高吸水性高分子化合物を外装させた２層構造を有する繊維でなることを特徴とする使い捨て吸水性シート。
【請求項５】
請求項４に記載の使い捨て吸水シートにおいて、
前記合成繊維の外周面に高吸水性高分子化合物を外装させた２層構造を有する繊維でなる不織布の表面に、吸水性を有する表面シートを外装させた構成を有することを特徴とする使い捨て吸水シート。
【請求項６】
請求項１〜５のいずれかに記載の使い捨て吸水シートにおいて、
前記第１シートと前記第２シートとの間に介在された防水性を有する第３シートをさらに有し、
前記伸縮部材は、前記第３シートと前記第１シート又は前記第２シートとの間において所定間隔で線状に並列配置されていることを特徴とする使い捨て吸水シート。
【考案の詳細な説明】
【技術分野】
【０００１】
本考案は、使い捨て吸水シートに関する。
【背景技術】
【０００２】
介護の現場などにおいては、使い捨て吸水シートは必需品となっており、特に、多数の被介護者が入所している施設（介護施設や病院など）などにおいては、被介護者の世話をする介護者にとっては、重要な介護用品の１つである。
【０００３】
この種の使い捨て吸水シートは、従来から種々提案されている（例えば、特許文献１参照。）。なお、特許文献１においては、使い捨て吸水シートの一種である使い捨てタオルが示されている。
図１２は、特許文献１に記載されている使い捨てタオルを説明するために示す図である。なお、図１２（Ａ）は特許文献１に記載されている使い捨てタオルの第１の例（使い捨てタオル９００Ａとする。）を示しており、図１２（Ｂ）は特許文献１に記載されている使い捨てタオルの第２の例（使い捨てタオル９００Ｂとする。）を示している。
【０００４】
特許文献１に記載されている使い捨てタオル９００Ａは、図１２（Ａ）に示すように、吸水性及び嵩高性を有する第１繊維シート９１０と、当該第１繊維シート９１０に積層され、第１繊維シート９１０よりも引っ張り強度が高い素材でなる基材シート９２０とを有する２層構造となっている。
【０００５】
一方、特許文献１に記載されている使い捨てタオル９００Ｂは、図１２（Ｂ）に示すように、使い捨てタオル９００Ａと同様の第１繊維シート９１０及び基材シート９２０に加えて、第１繊維シート９１０と同様の素材でなる第２繊維シート９３０を有する３層構造となっている。
【先行技術文献】
【特許文献】
【０００６】
【特許文献１】実用新案登録第３２１４１０７号公報
【考案の概要】
【考案が解決しようとする課題】
【０００７】
上記特許文献１に記載の使い捨てタオルは、吸水性が高く、肌触りが良好な使い捨てタオルとすることができるとしているが、種々、改善の余地がある。
【０００８】
例えば、介護者は、被介護者の入浴後に体を拭いたりすることは勿論のこと、尻付近に付着した尿や便などを拭き取ることも日常の業務である。このため、使い捨てタオルを含む使い捨て吸水シートは、手に馴染み易く、かつ、拭き取り易いことが重要である。特に、尻付近を拭く際には、手に馴染み易いことは勿論、便などを絡め取るようにして拭き取ることができるものであることが重要となる。
【０００９】
これを実現するためには、使い捨て吸水シートの表面には、凹凸があることが好ましく、また、手に馴染み易く、かつ、拭き取り易くするためには、ある程度の伸縮性があることが好ましい。なお、このことは、介護用としてだけではなく、他の用途に使用する場合にも同様のことが言える。
【００１０】
このような観点から特許文献１に記載されている使い捨てタオル９００Ａ及び９００Ｂを見ると、特許文献１に記載されている使い捨てタオル９００Ａ及び９００Ｂは、当該使い捨てタオルの表面が平面となっており、また、伸縮性はない。このため、手に馴染み易く、かつ、拭き取り易いといった点において改善の余地がある。
【００１１】
本考案は上記事情に鑑みてなされたものであり、手に馴染み易く、かつ、拭き取り易い使い捨て吸水シートを提供することを目的とする。
【課題を解決するための手段】
【００１２】
［１］本考案の使い捨て吸水シートは、不織布でなり、吸水性を有する第１シートと、
不織布でなり、吸水性を有する第２シートと、前記第１シートと前記第２シートとの間において所定間隔で線状に並列配置され、伸縮性を有する複数本の線状の伸縮部材と、を有し、前記第１シートと前記第２シートとは、前記伸縮部材を介して当該伸縮部材の伸縮性を損なうことなく積層された状態で接合されており、前記第１シート及び前記第２シートには前記伸縮部材の収縮力によるギャザーが形成されていることを特徴とする。
【００１３】
本考案の使い捨て吸水シートによれば、第１シート及び第２シートのそれぞれの表面にギャザー（凹凸）が形成されたものとなっていることから、手に馴染み易く、かつ、拭き取り易い使い捨て吸水シートとなる。具体的には、第１シート及び第２シートのそれぞれの表面にギャザー（凹凸）が形成されている。このため、当該使い捨て吸水シートを用いて拭き取り作業を行う際には、使い捨て吸水シートの表面（第１シートの表面又は第２シートの表面）上で手が滑りにくく、広い面積の拭き取りを行う場合にも効率良く拭き取り作業を行うことができる。また、第１シート及び第２シートのそれぞれの表面にギャザー（凹凸）が形成されていることによって、吸水力に優れたものとなるとともに、水分の多い箇所の拭き取りを行う際においても、拭き取った水分が手にまで染み出てきにくいため、安心感を持って拭き取り作業を行うことができる。
【００１４】
また、本考案の使い捨て吸水シートは伸縮性を有することから、当該使い捨て吸水シートを例えば横方向に伸張させたのちに収縮させるといったことができ、それによって、例えば、尻などに付着した便などを拭き取る際には、便を絡め取るようにして拭き取るといったことが容易に行える。
【００１５】
また、本考案の使い捨て吸水シートは、第１シート及び第２シートそれぞれが吸水性を有しているため、本考案の使い捨て吸水シートは、表側及び裏側の両面が使用可能である。なお、本考案の使い捨て吸水シートは、水（水分）だけでなく、様々な液体の吸い取りが可能である。このため、吸水というのは、水だけでなく様々な液体を吸い取ることを意味するものであるとする。
【００１６】
［２］本考案の使い捨て吸水シートにおいては、前記第１シート及び前記第２シートは、矩形状をなしていることが好ましい。
【００１７】
このように、第１シート及び前記第２シートが矩形状をなすことにより、本考案の使い捨て吸水シートは、使い慣れた一般的なタオルなどのシートと同様の形状となり、本考案の使い捨て吸水シートを使い捨てタオルとして使用する場合には、使い易いものとなる。
【００１８】
［３］考案の使い捨て吸水シートにおいては、前記矩形状は長方形であって、横方向の辺がそれぞれ１５０ｍｍ〜４５０ｍｍの範囲であり、縦方向の辺が１００ｍｍ〜３００ｍｍの範囲であることが好ましい。
【００１９】
このようなサイズとすることにより、本考案の使い捨て吸水シートを使い捨てタオルとして使用する場合には、取り扱いがし易くなり、特に介護の現場などにおいては、尻の周辺を拭いたりする場合に拭き易いものとなる。
【００２０】
［４］本考案の使い捨て吸水シートにおいては、前記不織布は、合成繊維の外周面に高吸水性高分子化合物を外装させた２層構造を有する繊維でなることが好ましい。
【００２１】
不織布がこのような繊維でなることによって、高い吸水性を有するため、第１シート及び第２シートの厚みを薄くしても、十分な吸水性と、吸水した水分を保持する保水性とを有するものとなる。このため、その吸水性及び保水性を生かして多種の用途に使用できる。特に、吸水性及び保水性に優れているため、他の使い捨て吸水シートと同程度の吸水性を持たせるとした場合、他の使い捨て吸水シートに比べて厚みを薄くすることができる。なお、合成繊維の外周面に高吸水性高分子化合物を外装させた２層構造を有する繊維としては、ランシール（登録商標）を例示できる。
【００２２】
［５］本考案の使い捨て吸水シートにおいては、前記合成繊維の外周面に高吸水性高分子化合物を外装させた２層構造を有する繊維でなる不織布の表面に、吸水性を有する表面シートを外装させた構成を有することが好ましい。
【００２３】
このよう構成となっていることによって、前記合成繊維の外周面に高吸水性高分子化合物を外装させた２層構造を有する繊維でなる不織布が用いられた第１シート及び第２シートで水などの液体をたっぷりと吸水したとしても、表面シートが、当該第１シート１１及び第２シート１２で吸水した水などの液体が外部に染み出てくることを防止する役目をなす。このため、本考案の使い捨て吸水シートを例えば使い捨てタオルとして使用して、大量の液体（水とする。）を拭き取った場合においては、拭き取った大量の水は、表面シートを通過し、合成繊維の外周面に高吸水性高分子化合物を外装させた２層構造を有する繊維でなる不織布が用いられた第１シート及び第２シートに達して、これら第１シート及び第２シートで吸水される。このとき、表面シートの存在により、大量の水を吸水した第１シート及び第２シートが直接的に手に触れることがないため、拭き取り作業を快適に行うことができる。
【００２４】
また、当該使い捨て吸水シートを例えば紙おむつの吸水体として使用した場合には、当該使い捨て吸水シートの第１シート又は第２シートで尿をたっぷりと吸水することができる。しかも、第１シート及び第２シートにはそれぞれ表面シートが外装されていることによって、大量の尿を吸水した第１シート及び第２シートが直接的に肌に触れることがないため、不快感を和らげることができる。また、当該使い捨て吸水シートは、ギャザーが形成されているため、肌に触れる面積が小さくすることができ、べた付き感を抑制することができる。特に、当該使い捨て吸水シートを紙おむつなどに使用した場合には、尿などの水分を吸水してもべた付き感を少なくすることができ、快適性の高いものとすることができる。
【００２５】
なお、それぞれの表面シートには、当該表面シートの表面に細かい凹凸を多数設けるようにしてもよい。表面シートの表面に細かい凹凸を多数設けることにより、肌に触れる面積をより少なくすることができ、より一層、快適性を高めることができる。
【００２６】
［６］本考案の使い捨て吸水シートは、前記第１シートと前記第２シートとの間に介在された防水性を有する第３シートをさらに有し、前記伸縮部材は、前記第３シートと前記第１シート又は前記第２シートとの間において所定間隔で線状に並列配置されていることが好ましい。
【００２７】
このように、第１シートと第２シートとの間に防水性を有する第３シートが介在されていることにより、水分を拭き取った場合、拭き取った水分が手の方に染み出てくることを確実に防止できる。例えば、第２シート側で体に付着している水分を拭き取った場合、拭き取られた水分は、第２シートによって吸水されるが、防水性を有する第３シートの存在により、当該吸水された水分が第１シート側に染み出てくることを確実に防止できる。
【図面の簡単な説明】
【００２８】
【図１】実施形態１に係る使い捨て吸水シート１０の平面図である。
【図２】図１に示す使い捨て吸水シート１０の断面図である。
【図３】実施形態１に係る使い捨て吸水シート１０の使用例を説明するために示す図である。
【図４】実施形態２に係る使い捨て吸水シート２０の平面図である。
【図５】図４に示す使い捨て吸水シート２０の断面図である。
【図６】実施形態３に係る使い捨て吸水シート３０の平面図である。
【図７】図６に示す使い捨て吸水シート３０の断面図である。
【図８】実施形態３に係る使い捨て吸水シート３０において第１シート１１と第２シート１２との間に防水性を有する第３シート１４を介在させた構成とした場合の断面図である。
【図９】実施形態４に係る使い捨て吸水シート４０の平面図である。
【図１０】図９に示す使い捨て吸水シート４０の断面図である。
【図１１】実施形態４に係る使い捨て吸水シート４０において第１シート１１と第２シート１２との間に防水性を有する第３シート１４を介在させた構成とした場合の断面図である。
【図１２】特許文献１に記載されている使い捨てタオルを説明するために示す図である。
【考案を実施するための形態】
【００２９】
以下、本考案の実施形態について説明する。
【００３０】
［実施形態１］
図１は、実施形態１に係る使い捨て吸水シート１０の平面図である。
図２は、図１に示す使い捨て吸水シート１０の断面図である。なお、図２（Ａ）は図１のａ−ａ矢視断面図であり、図２（Ｂ）は図１のｂ−ｂ矢視断面図である。
【００３１】
実施形態１に係る使い捨て吸水シート１０は、使い捨てタオルとしての機能を有するものであるとする。実施形態１に係る使い捨て吸水シート１０は、図１に示すように、平面視したときの形状が矩形状（長方形とする。）をなしており、サイズは限定されるものではないが、長辺（横方向の辺）の長さＬ１が１５０ｍｍ〜４５０ｍｍの範囲であり、短辺（縦方向の辺）の長さＬ２が１００ｍｍ〜３００ｍｍの範囲であることが好ましく、特に、実施形態１に係る使い捨て吸水シート１０を、介護用の使い捨てタオルとして使用する場合には、横方向の辺の長さＬ１が３００ｍｍ程度で縦方向の辺の長さＬ２が２００ｍｍ程度のものが好ましい。
【００３２】
また、実施形態１に係る使い捨て吸水シート１０は、撥水加工されておらず吸水性を有する第１シート１１と、第１シート１１に積層され、同じく撥水加工されておらず吸水性を有する第２シート１２と、第１シート１１と第２シート１２との間において所定間隔で線状に並列配置され、長手方向に沿った伸縮性を有する複数本の伸縮部材１３と、を有している。なお、第１シート１１及び第２シート１２は、それぞれが不織布でなる。
【００３３】
第１シート１１と第２シート１２とは同じ素材でなる不織布を用いることができる。ここで、第１シート１１及び第２シート１２を構成する不織布は、ポリエチレン、ポリエステルなどからなる合成繊維や綿などの天然繊維を用い、スパンボンド法、サーマルボンド法などの適宜の加工方法によって生成することができる。このような不織布は、例えば、紙おむつ用の素材としても用いられているが、紙おむつ用の素材は、撥水加工された状態のものが用いられる。これに対して、実施形態１に係る使い捨て吸水シート１０における第１シート１１及び第２シート１２は、撥水加工されていないものとなっており、この点が、紙おむつの素材とは異なる。このため、第１シート１１と第２シート１２は吸水性を有する。
【００３４】
また、伸縮部材は、ごく細い糸状のゴム（糸ゴム）が用いられており、その材質としては、例えば、ウレタン系ゴムや天然ゴムなどを用いることができる。なお、伸縮部材１３は、それぞれの伸縮部材１３が、図１及び図２（Ａ）及び図２（Ｂ）に示すように、長辺方向（ｘ軸に沿った方向）に沿って配置されており、それぞれの伸縮部材１３が、所定間隔ｄ１（図２（Ａ）参照。）ごとに並列配置されている。実施形態１に係る使い捨て吸水シート１０においては、ｄ１は例えば５ｍｍ〜１０ｍｍ程度の間隔としている。
【００３５】
そして、第１シート１１と第２シート１２とは、伸縮部材１３を介して当該伸縮部材１３の伸縮性を損なうことなく接合されており、第１シート１１及び第２シート１２には伸縮部材１３の収縮力によるギャザー（凹凸）Ｇが形成されている（図２（Ｂ）参照。）。なお、第１シート１１と記第２シート１２は、伸縮部材１３の長手方向（図１及び図２のｘ軸に沿った方向）において、１．５倍から３倍程度の伸張が可能であるが、これは、意図的に大きな伸張力を加えた場合である。
【００３６】
なお、図２（Ｂ）は図１のｂ−ｂ矢視断面図であり、伸縮部材１３に沿って（ｘ軸に沿って）切断した場合の断面を示す図である。但し、伸縮部材１３に沿って（ｘ軸に沿って）切断した場合の断面は、実施形態１に係る使い捨て吸水シート１０のどの部分においても図２（Ｂ）に示すような断面であるとは限らず、図２（Ｂ）は代表的な部分の断面を示すものである。これは、ギャザー（凹凸）Ｇが規則正しく形成されるとは限らないためである。
【００３７】
このことは、図２（Ａ）においても同様である。図２（Ａ）は、図１のａ−ａ矢視断面図であり、伸縮部材１３に直交する方向に沿って（ｙ軸に沿って）切断した場合の断面を示す図である。この場合も、伸縮部材１３に直交する方向に沿って切断した場合の断面は、実施形態１に係る使い捨て吸水シート１０のどの部分においても図２（Ａ）に示すような断面であるとは限らず、図２（Ａ）は代表的な部分の断面を示すものである。なお、図２（Ａ）における凹凸は、伸縮部材１３の収縮力により生じる凹凸ではなく、伸縮部材１３と第１シート１１及び第２シート１２との接着によって生じる「くびれ」による凹凸である。
【００３８】
このように構成されている実施形態１に係る使い捨て吸水シート１０は、例えば、次のような工程を行うことによって製造することができる。
【００３９】
すなわち、第１シート１１を形成するための所定幅（例えば。９００ｍｍとする。）を有する長尺のシート材（第１シート材とする。）を繰出しロールから繰り出す。また、伸縮部材１３としての複数本の長尺の糸ゴム材を所定間隔（例えば５ｍｍ間隔）で、並列配置して長手方向に沿ってテンションを付与した状態（伸張させた状態）で繰り出すともに、第２シート１２を形成するための所定幅（第１シート材と同じ幅）を有する長尺のシート材（第２シート材とする。）を繰出しロールから繰り出す。このとき、第２シート材の一方の面（第１シート材に対向する側の面）には、ホットメルト接着剤などを塗布する。そして、並列配置された長尺の糸ゴム材を第１シート材との間に挟み込むようにして、第１シート１１となる第１シート材、伸縮部材１３となる糸ゴム材及び第２シート１２となる第２シート材をプレスロールによって圧着させて行く。なお、ギャザーＧは、長手方向に沿って付与しているテンションを解除することによって形成される。
【００４０】
このような工程を行うことによって、所定幅（例えば、９００ｍｍとする。）を有する長尺状の積層材（第１シート材と第２シート材とで複数の糸ゴム材を挟み込んだ状態の積層材）を製造することができ、製造された所定幅を有する長尺状の積層材を所定のサイズ（例えば、横方向の辺の長さＬ１が３００ｍｍ、縦方向の辺の長さＬ２が２００ｍｍ）に切断することによって、実施形態１に係る使い捨て吸水シート１０とすることができる（図１参照。）。実施形態１に係る使い捨て吸水シート１０がこのようなサイズを有することによって、実施形態１に係る使い捨て吸水シート１０を使い捨てタオルとして使用する場合に、使いやすいものとなる。
【００４１】
このようにして製造された実施形態１に係る使い捨て吸水シート１０は、第１シート１１及び第２シート１２には伸縮部材１３の収縮力によるギャザー（凹凸）Ｇが形成されており、第１シート１１の凸部１１ａから第２シート１２の凸部１２ａまでの高さ（実施形態１に係る使い捨て吸水シート１０の厚み）ｔ１は、３ｍｍ〜５ｍｍである。このため、実施形態１に係る使い捨て吸水シート１０は、厚みがある嵩高なものとなる。
【００４２】
ところで、実施形態１に係る使い捨て吸水シート１０は、第１シート１１及び第２シート１２のそれぞれの表面が横方向（ｘ軸）に沿って波打つようなギャザー（凹凸）Ｇが形成されたものとなっているため（図１及び図２参照。）、使い捨てタオルとして使用する場合に、手触りがよく手に馴染み易いものとなり、かつ、拭き取り易いものとなる。
【００４３】
具体的には、第１シート１１及び第２シート１２のそれぞれの表面が横方向に沿って波打つようなギャザー（凹凸）が形成されたものとなっているため、当該使い捨て吸水シート１０を用いて、被介護者の尻などの拭き取り作業を行う際には、使い捨て吸水シート１０の表面（第１シート１１の表面又は第２シート１２の表面）上で手が滑りにくく、広い面積の拭き取りを行う場合にも効率良く拭き取り作業を行うことができる。
【００４４】
また、使い捨て吸水シート１０は、第１シート１１及び第２シート１２のそれぞれの表面が横方向に沿って波打つようなギャザー（凹凸）Ｇが形成されたものとなっていることによって、第１シート１１の凸部１１ａから第２シート１２の凸部１２ａまでの間の厚みｔ１は、第１シート１１そのものの厚みと第２シート１２そのものの厚みを合計した厚みよりも厚いものとなり、嵩高（厚手）なものとなる。このため、吸水力に優れたものとなるとともに、水分の多い箇所の拭き取りを行う際においても、拭き取った水分が手にまで染み出てきにくいため、安心感を持って拭き取り作業を行うことができる。特に、介護施設などで、介護者が被介護者の尻付近の拭き取りを行う場合には、介護者は安心感を持って拭き取り作業を行うことができる。
【００４５】
また、実施形態１に係る使い捨て吸水シート１０は、第１シート１１及び第２シート１２それぞれが撥水加工されていない不織布でなるため、第１シート１１及び第２シート１２それぞれが吸水性を有する。このため、実施形態１に係る使い捨て吸水シート１０は、水分を効率よく拭き取ることができる。また、実施形態１に係る使い捨て吸水シート１０の使い方としては、最初は、第２シート１２側で体などの拭き取り作業を行い、その後、当該第２シート１２が内側になるように１／２に折り畳んだ状態として、折り畳んだ状態で、今度は、１／２のサイズとなった第１シート１１側で体などの拭き取り作業を行うといった使い方もできる。
【００４６】
また、このように構成されている使い捨て吸水シート１０は、外力（ｘ軸に沿った長辺方向の引っ張り力）が加えられない状態では、伸縮部材１３の収縮力によってギャザー（凹凸）Ｇは収縮した状態（収縮状態という。）となっており、この収縮状態における横方向のサイズは３００ｍｍ程度である。そして、当該収縮状態から横方向へ引っ張り力を与えると、少なくとも１．５倍程度の長さに伸張可能となっている。このように、実施形態１に係る使い捨て吸水シート１０は、伸縮性を有することから、例えば、長辺方向（ｘ軸に沿った）に伸張させたのちに収縮させるといったことができ、それによって、尻などに付着した便などを拭き取る際には、便を絡め取るようにして拭き取るといったことが容易に行える。
【００４７】
図３は、実施形態１に係る使い捨て吸水シート１０の使用例を説明するために示す図である。なお、図３においては、使い捨て吸水シート１０の伸縮性を利用して汚物などを絡め取るような使い方を説明する図である。
【００４８】
図３（Ａ）に示すように、使い捨て吸水シート１０の表面（第１シート１１側の表面とする。）を親指と他の４本の指とで押えて、例えば、親指を図３（Ｂ）の矢印Ｃ方向にずらすとともに、他の４本の指の間隔をそれぞれ広げながら親指とは反対方向（矢印Ｄ方向）にずらすと、使い捨て吸水シート１０は、伸縮部材１３の収縮力に抗して横方向に沿って伸張し、使い捨て吸水シート１０がある程度伸張したところで、今度は、親指と他の４本の指とを近づけるように親指をずらすと、使い捨て吸水シート１０は、伸縮部材１３の収縮力が働いて、容易に元の状態に復帰する。
【００４９】
このような拭き取り操作を行うことにより、汚物などを効率よく絡め取ることができる。この場合、使い捨て吸水シート１０は、嵩高（厚手）であるため、吸水力に優れたものとなるとともに、水分の多い箇所の拭き取りを行う際においても、拭き取った水分が手にまで染み出てきにくいため、安心感を持って拭き取り作業を行うことができる。特に、介護施設などで尻付近の拭き取りを行う場合、尻に汚物などが付着している場合にも、安心感を持って汚物などを絡め取ることができる。
【００５０】
また、入浴後などにおいて体の水分を拭き取る場合には、一般的なタオルと同様の使い方で体の水分を拭き取ることができる。この場合も、使い捨て吸水シート１０は、嵩高（厚手）であるため、吸水力に優れたものとなるとともに、水分の多い箇所の拭き取りを行う際においても、拭き取った水分が手にまで染み出てきにくいため、短時間で拭き取り作業を行うことができる。
【００５１】
［実施形態２］
図４は、実施形態２に係る使い捨て吸水シート２０の平面図である。
図５は、図４に示す使い捨て吸水シート２０の断面図である。なお、図５（Ａ）は図４のａ−ａ矢視断面図であり、図５（Ｂ）は図４のｂ−ｂ矢視断面図である。
【００５２】
実施形態２に係る使い捨て吸水シート２０は、実施形態１に係る使い捨て吸水シート１０と同様に、吸水性を有する第１シート１１と、第１シート１１に積層され、同じく、吸水性を有する第２シート１２と、第１シート１１と第２シート１２との間に介在された防水性を有する第３シート１４とを有している。
【００５３】
そして、第１シート１１及び第２シート１２のうちの一方のシート（第１シート１１とする。）と第３シート１４とは、伸縮部材１３を介して当該伸縮部材１３の伸縮性を損なうことなく接合されているとともに、第１シート１１及び第２シート１２のうちの他方のシート（第２シート１２とする。）と第３シート１４とは直接的に接合されている。そして、第１シート１１、第２シート１２及び第３シート１４には伸縮部材１３の収縮力によるギャザー（凹凸）Ｇが形成されている。実施形態２に係る使い捨て吸水シート２０においては、防水性を有する第３シート１４は、防水透湿シートである。なお、後述する各実施形態においても、第３シート１４を用いる構成とした場合には、当該第３シート１４は、防水透湿シートであるとする。
【００５４】
このように、実施形態２に係る使い捨て吸水シート２０は、第１シート１１と第２シート１２との間に防水性を有する第３シート１４が存在する点が、実施形態１に係る使い捨て吸水シート１０と異なり、その他の構成は、実施形態１に係る使い捨て吸水シート１０と同様である。このため、図４及び図５に示す実施形態２に係る使い捨て吸水シート２０において、実施形態１に係る使い捨て吸水シート１０（図１及び図２参照。）と同一構成要素には同一符号が付されている。
【００５５】
このように構成されている実施形態２に係る使い捨て吸水シート２０は、例えば、次のような工程を行うことによって製造することができる。
すなわち、第１シート１１を形成するための所定幅（例えば、９００ｍｍとする。）を有する長尺のシート材（第１シート材とする。）を繰出しロールから繰り出す。また、伸縮部材１３としての複数本の長尺の糸ゴム材を所定間隔（例えば５ｍｍ）で、並列配置して長手方向に沿ってテンションを付与した状態（伸張させた状態）で繰り出す。
【００５６】
また、第３シート１４を形成するための所定幅（第１シート材と同じ幅）を有する長尺のシート材（第３シート材とする。）を繰出しロールから繰り出すとともに、第２シート１２を形成するための所定幅（第１シート材と同じ幅）を有する長尺のシート材（第２シート材とする。）を繰出しロールから繰り出す。このとき、第３シート材の一方の面（第１シート材に対向する側の面）には、ホットメルト接着剤などを塗布するとともに、第２シート材の一方の面（第３シート材に対向する側の面）に接着剤には、ホットメルト接着剤などを塗布する。
【００５７】
そして、並列配置された長尺の糸ゴム材を第１シート材と第３シート材の間に挟み込むようにして、第１シート１１となる第１シート材、伸縮部材１３となる糸ゴム材、第３シート１４となる第３シート材及び第２シート１２となる第２シート材をプレスロールによって圧着させて行く。
【００５８】
このような工程をおこなうことによって、所定幅（例えば、９００ｍｍとする。）を有する長尺状の積層材（第１シート材と第３シート材とで複数の糸ゴム材を挟み込んだ状態の積層材にさらに第２シート材が積層された状態の積層材）を製造することができ、製造された所定幅を有する長尺状の積層材を所定のサイズ（例えば、横方向の辺の長さＬ１が３００ｍｍ、縦方向の辺の長さＬ２が２００ｍｍ）に切断することによって、実施形態２に係る使い捨て吸水シート２０とすることができる（図４参照。）。
【００５９】
このような構成となっている実施形態２に係る使い捨て吸水シート２０は、防水性を有する第３シート１４が第１シート１１と第２シート１２との間に介在されているため、実施形態１に係る使い捨て吸水シート１０によって得られる効果に加えて、水分を拭き取った場合、拭き取った水分が手の方に染み出てくることを確実に防止できる。
【００６０】
例えば、第２シート１２側で体に付着している水分を拭き取った場合、拭き取られた水分は、第２シート１２によって吸水されるが、防水性を有する第３シート１４の存在により、当該吸水された水分が第１シート１１側に染み出てくることがない。これにより、介護者は安心して拭き取り作業を行うことができる。特に、尻付近に付着した水様便などを例えば第２シート１２側で拭き取る場合には、拭き取られた水様便は、防水性を有する第３シート１４の存在によって、介護者の手の側の第１シート１１にまで染み出て行くことを確実に防止できる。
【００６１】
なお、実施形態２に係る使い捨て吸水シート２０においては、伸縮部材１３は第１シート１１と第３シート１４との間に介在されている場合が例示されているが、第２シート１２と第３シート１４との間に伸縮部材１３が介在されている構成であってもよい。
【００６２】
［実施形態３］
図６は、実施形態３に係る使い捨て吸水シート３０の平面図である。
図７は、図６に示す使い捨て吸水シート３０の断面図である。なお、図７（Ａ）は図６のａ−ａ矢視断面図であり、図７（Ｂ）は図６のｂ−ｂ矢視断面図である。
実施形態３に係る使い捨て吸水シート３０は、実施形態１に係る使い捨て吸水シート１０において示した第１シート１１及び第２シート１２の素材が異なり、その他の構成は、実施形態１に係る使い捨て吸水シート１０と同様である。
【００６３】
すなわち、実施形態３に係る使い捨て吸水シート３０においては、第１シート１１及び第２シート１２を構成する不織布は、合成繊維（アクリル繊維）の外周面に高吸水性高分子化合物を外装させた２層構造を有する繊維（２層構造高吸水性繊維）でなる。このような繊維としては、ランシール（登録商標）を例示できる。
【００６４】
このような不織布を用いた第１シート１１及び第２シートは、繊維としての機能と吸水材として機能とを有しており、水に接触すると速やかに吸水して膨潤し、繊維の直径が１０倍以上に膨れる。このように、高い吸水性を有するため、第１シート１１及び第２シート１２の厚みを薄くしても、十分な吸水性と、吸水した水分を保持する保水性とを有するものとなる。
【００６５】
このため、実施形態３に係る使い捨て吸水シート３０は、使い捨てタオルとしての用途は勿論のこと、その吸水性及び保水性を生かして多種の用途に使用できる。特に、吸水性及び保水性に優れているため、他の使い捨て吸水シート（例えば、前述した使い捨て吸水シート１０，２０）と同じ吸水性を持たせるとした場合、厚みを薄くすることができる。
【００６６】
厚みを薄くすることができることにより、肌着などの素材としても好適なものとなり、また、サイズを手のひらサイズとすることによって、汗取りシートや化粧用パッドなどにも好適であり、また、マスクなどにも好適である。また、使い捨ておむつや生理用ナプキンなどに使用することによって、使い捨ておむつや生理用ナプキンを薄くすることができ、特に、大人用使い捨ておむつとした場合には、当該おむつを着用しても、外観からはおむつの存在が分かりにくくすることができる。また、使い捨て吸水シート１０，２０と同様の厚みとすれば、使い捨て吸水シート１０，２０に比べて吸水性及び保水性がより高いものとなる。
【００６７】
なお、実施形態３に係る使い捨て吸水シート３０においても、実施形態２に係る使い捨て吸水シート２０と同様に、第１シート１１と第２シート１２との間に、防水性を有する第３シート１４を介在させた構成としてもよい。
【００６８】
図８は、実施形態３に係る使い捨て吸水シート３０において第１シート１１と第２シート１２との間に防水性を有する第３シート１４を介在させた構成とした場合の断面図である。なお、図８（Ａ）は図６のａ−ａ矢視断面図であり、図８（Ｂ）は図６のｂ−ｂ矢視断面図である。実施形態３に係る使い捨て吸水シート３０を図８に示すような構成とすることによって、一方のシート（例えば第１シート１１）で吸水した液体が他方のシート（第２シート１２）側に染み出てくることを確実に防止できる。これにより、図８に示す構成の使い捨てシート３０の第２シート１２側で、大量の水の拭き取り作業を行った場合、第２シート１２が吸水した水は、防水性を有する第３シート１４の存在により、第１シート１１側に染み出てくることを確実に防止できる。これにより、作業者は拭き取り作業を快適に行うことができる。
【００６９】
［実施形態４］
図９は、実施形態４に係る使い捨て吸水シート４０の平面図である。
図１０は、図９に示す使い捨て吸水シート４０の断面図である。なお、図１０（Ａ）は図９のａ−ａ矢視断面図であり、図１０（Ｂ）は図９のｂ−ｂ矢視断面図である。
【００７０】
実施形態４に係る使い捨て吸水シート４０は、実施形態３に係る使い捨て吸水シート３０において示した第１シート１１及び第２シート１２の表面（外側の表面）に、当該第１シート１１及び第２シート１２とは異なる素材でなり、吸水性を有する表面シート１６，１７を外装させた構成となっている。
【００７１】
すなわち、前述の実施形態３に係る使い捨て吸水シート３０においては、第１シート１１及び第２シート１２を構成する不織布は、合成繊維（アクリル繊維）の外周面に高吸水性高分子化合物を外装させた２層構造を有する繊維（２層構造高吸水性繊維ともいう。）でなるが、実施形態４に係る使い捨て吸水シート４０においては、２層構造高吸水性繊維でなる不織布が用いられた第１シート１１及び第２シート１２の表面に、当該第１シート１１及び第２シート１２とは異なる素材でなる表面シート１６，１７を外装させた構成となっている。具体的には、２層構造高吸水性繊維でなる不織布が用いられた第１シート１１には吸水性を有する表面シート１６（第１表面シート１６という。）が外装され、同じく２層構造高吸水性繊維でなる不織布が用いられた第２シート１２には吸水性を有する表面シート１７（第２表面シート１７という。）が外装されている。
【００７２】
これら第１表面シート１６及び第２表面シート１７は、例えば、紙おむつや生理用ナプキンなどの吸水体として用いられている素材（不織布）を用いることができる。なお、第１シート１１と第１表面シート１６とを接着するための接着剤及び第２シート１２と第２表面シート１７とを接着するための接着剤としては、それぞれホットメルト接着剤などを使用することができる。
【００７３】
実施形態４に係る使い捨て吸水シート４０が図９及び図１０に示すような構成となっていることによって、上述の２層構造高吸水性繊維でなる不織布が用いられた第１シート１１及び第２シート１２が水などの液体をたっぷりと吸水したとしても、第１表面シート１６及び第２表面シート１７の存在によって、第１シート１１及び第２シート１２が吸水した水などの液体を外部に染み出にくくすることができる。
【００７４】
これにより、当該使い捨て吸水シート４０を例えば使い捨てタオルとして使用して、第１表面シート１６又は第２表面シート１７の一方の側（第１表面シート１６の側とする。）で大量の液体（水とする。）を拭き取った場合においては、拭き取った大量の水は、第１表面シート１６を通過し、上述の２層構造高吸水性繊維でなる不織布が用いられた第１シート１１及び第２シート１２に達して、これら第１シート１１及び第２シート１２で吸水される。このとき、第１表面シート１６の存在により、大量の水を吸水した第１シート１１及び第２シート１２が直接的に手に触れることがないため、拭き取り作業を快適に行うことができる。
【００７５】
また、当該使い捨て吸水シート４０を例えば紙おむつの吸水体として使用した場合において、例えば、第１表面シート１６を肌側とした場合には、大量の排尿があったとしても、当該大量の尿は、第１表面シート１６を通過し、上述の２層構造高吸水性繊維でなる不織布が用いられた第１シート１１及び第２シート１２に達して、当該使い捨て吸水シート４０の第１シート１１及び第２シート１２で吸水される。このとき、第１表面シート１６の存在により、大量の尿を吸水した第１シート１１及び第２シート１２が直接的に肌に触れることがないため、不快感を和らげることができる。
【００７６】
また、実施形態４に係る使い捨て吸水シート４０は、第１表面シート１６及び第２表面シート１７にギャザーＧが形成されているため、肌に触れる面積が小さくすることができ、べた付き感を抑制することができる。特に、実施形態４に係る使い捨て吸水シート４０を紙おむつなどに使用した場合には、尿などの水分を吸水してもべた付き感を少なくすることができ、快適性の高いものとすることができる。
【００７７】
また、第１表面シート１６及び第２表面シート１７には、図１０における破線枠Ｃ内に示すように、表面に細かい凹凸１８を多数設けるようにしてもよい。なお、図１０における破線枠Ｃ内は、第１表面シート１６及び第２表面シート１７の表面を拡大して示す平面図であるため、破線枠Ｃ内に示す図からは、凹凸１８が分かりにくいが、白抜きの円で示す部分がほぼ半球状の凸部となっている。表面シート１６及び第２表面シート１７の表面に、このような凹凸１８を多数設けることにより、肌に触れる面積をより少なくすることができ、より一層、快適性を高めることができる。
【００７８】
なお、実施形態４に係る使い捨て吸水シート４０においても、実施形態２に係る使い捨て吸水シート２０と同様に、第１シート１１と第２シート１２との間に、防水性を有する第３シート１４を介在させた構成としてもよい。
【００７９】
図１１は、実施形態４に係る使い捨て吸水シート４０において、第１シート１１と第２シート１２との間に防水性を有する第３シート１４を介在させた構成とした場合の断面図である。なお、図１１（Ａ）は図９のａ−ａ矢視断面図であり、図１１（Ｂ）は図９のｂ−ｂ矢視断面図である。実施形態４に係る使い捨て吸水シート４０を図１１に示すような構成とすることによって、一方のシート（例えば、第１表面シート１６及び第１シート１１）で吸水した液体が他方のシート（第２表面シート１７及び第２シート１２）側に染み出てくることを確実に防止できる。
【００８０】
これにより、図９に示す構成の使い捨てシート４０の第１表面シート１７側又は第２シート１２側で、大量の水の拭き取り作業を行った場合、拭き取った大量の水は、第１表面シート１７又は第２シート１２を通過し、上述の２層構造高吸水性繊維でなる不織布が用いられた第１シート又１６は第２シート１７にて吸水される。このとき、防水性を有する第３シート１４の存在により吸水された水が反対側の面に染み出てくることを確実に防止できる。このため、作業者は拭き取り作業を快適に行うことができる。また、図９に示す構成の使い捨てシート４０を紙おむつの吸水体として使用した場合において、例えば、第１表面シート１６を肌側とした場合には、第１表面シート１６を通過し、第１シート１１が吸水した尿などの水分は、防水性を有する第３シート１４の存在により、第２シート１２及び第２表面シート１７側に染み出てくることを確実に防止できる。
【００８１】
なお、図１１に示す構成とした場合、すなわち、第１シート１１と第２シート１２との間に防水性を有する第３シート１４を介在させた構成とした場合においても、第１表面シート１６及び第２表面シート１７の表面には、破線枠Ｃ内に示すように細かい凹凸１８を多数設けるようにしてもよい。
【００８２】
なお、本考案は上述の実施形態に限られるものではなく、本考案の要旨を逸脱しない範囲で種々変形実施可能となるものである。たとえば、下記に示すような変形実施も可能である。
【００８３】
（１）上記実施形態１及び実施形態２においては、使い捨て吸水シート１０，２０のサイズとしては、３００ｍｍ×２００ｍｍを例示したが、使い捨て吸水シート１０，２０のサイズはこのようなサイズに限られるものではなく、用途に応じて様々なサイズとすることができる。また、実施形態３及び実施形態４における使い捨て吸水シート３０，４０も任意のサイズとすることができる。なお、これら各実施形態における使い捨て吸水シート１０，２０，３０、４０は、ハサミやカッターなどで容易に切断可能であるため、より大きなサイズとしておき、使用者が、適宜、使いやすいサイズに切断して使用するといった使い方もできる。
【００８４】
（２）上記実施形態においては、使い捨て吸水シート１０，２０，３０，４０は、製造段階において、長尺の積層材を切断して使用する場合、切断した際の切断面の処理（端面処理）については、特に説明しなかったが、切断面が露出しないように、使い捨て吸水シートの各端辺を折り返して、例えば、当該折返し部を、ホットメルト接着剤などにより接着させるようにしてもよい。このような処理を施すことにより、見栄えのよいものとなる。但し、使い捨て吸水シート１０，２０，３０，４０は、その名の通り、使い捨てであるため、切断面が端面として露出していても、特に支障はない。
【００８５】
(３)上記各実施形態においては、使い捨て吸水シート１０，２０，３０，４０を使い捨てタオルとして使用する場合の用途としては、主に、介護者が被介護者の体を拭き取る際に用いる場合を説明したが、これに限られるものではなく、乳幼児の体に付着した水分の拭き取りを行う場合にも使用できることは勿論であり、また、人間の体だけではなく、ペットなどの動物の体に付着した水分の拭き取りにも使用可能であり、さらには、室内外の清掃用、工業製品などに付着した水を含む液体の拭き取り用など、広い範囲に渡って使用可能である。
【００８６】
（４）上記各実施形態においては、使い捨て吸水シート１０，２０，３０，４０の形状は、長方形としたが長方形に限られるものではなく、例えば、正方形、円形など種々の形状とすることも可能である。
【００８７】
（５）上記各実施形態においては、第３シート１４は防水透湿シートとした場合を例示したが、防水性を有していればよく、透湿性を有しない防水シートとしてもよい。
【符号の説明】
【００８８】
１０，２０，３０，４０・・・使い捨て吸水シート、１１、・・・第１シート、１１ａ・・・第１シート１１の凸部、１２・・・第２シート、１２ａ・・・第２シート１２の凸部、１３・・・伸縮部材、１４・・・第３シート、１６・・・表面シート（第１表面シート）、１７・・・表面シート（第２表面シート）、１８・・・凹凸、Ｇ・・・ギャザー（凹凸）
【図１】
0003220575.tif 000003
【図２】
0003220575.tif 000004
【図３】
0003220575.tif 000005
【図４】
0003220575.tif 000006
【図５】
0003220575.tif 000007
【図６】
0003220575.tif 000008
【図７】
0003220575.tif 000009
【図８】
0003220575.tif 000010
【図９】
0003220575.tif 000011
【図１０】
0003220575.tif 000012
【図１１】
0003220575.tif 000013
【図１２】
0003220575.tif 000014
【手続補正書】
【提出日】平成31年1月15日(2019.1.15)
【手続補正１】
【補正対象書類名】実用新案登録請求の範囲
【補正対象項目名】全文
【補正方法】変更
【補正の内容】
【実用新案登録請求の範囲】
【請求項１】
不織布でなり、吸水性を有する第１シートと、
不織布でなり、吸水性を有する第２シートと、
前記第１シートと前記第２シートとの間において所定間隔で線状に並列配置され、伸縮性を有する複数本の線状の伸縮部材と、
を有し、
前記第１シートと前記第２シートとは、前記伸縮部材を介して当該伸縮部材の伸縮性を損なうことなく積層された状態で接合されており、前記第１シート及び前記第２シートには前記伸縮部材の収縮力によるギャザーが形成されていることを特徴とする使い捨て吸水シート。
【請求項２】
請求項１に記載の使い捨て吸水シートにおいて、
前記第１シート及び前記第２シートは、矩形状をなしていることを特徴とする使い捨て吸水シート。
【請求項３】
請求項２に記載の使い捨て吸水シートにおいて、
前記矩形状は長方形であって、横方向の辺がそれぞれ１５０ｍｍ〜４５０ｍｍの範囲であり、縦方向の辺が１００ｍｍ〜３００ｍｍの範囲であることを特徴とする使い捨て吸水シート。
【請求項４】
請求項１〜３のいずれかに記載の使い捨て吸水シートにおいて、
前記不織布は、合成繊維の外周面に高吸水性高分子化合物を外装させた２層構造を有する繊維でなることを特徴とする使い捨て吸水性シート。
【請求項５】
請求項４に記載の使い捨て吸水シートにおいて、
前記合成繊維の外周面に高吸水性高分子化合物を外装させた２層構造を有する繊維でなる不織布の表面に、吸水性を有する表面シートを外装させた構成を有することを特徴とする使い捨て吸水シート。
【請求項６】
請求項１〜５のいずれかに記載の使い捨て吸水シートにおいて、
前記第１シートと前記第２シートとの間に介在された防水性を有する第３シートをさらに有し、
前記伸縮部材は、前記第３シートと前記第１シート又は前記第２シートとの間において所定間隔で線状に並列配置されていることを特徴とする使い捨て吸水シート。